(57)【要約】【課題】確実に被遠隔操作機器の電源を一斉にオフするリモコン装置を提供すること。【解決手段】複数の被遠隔操作機器の電源を一斉にオンするための複数の第１の入力手段と、複数の被遠隔操作機器の電源を一斉にオフするための第２の入力手段と、被遠隔操作機器を遠隔操作するための複数のリモコンコードを記憶する記憶手段と、リモコンコードを外部に送信する送信手段と、リモコンコードを送信手段に出力し、送信手段に外部へ送信させる制御手段とを備え；制御手段が、第２の入力手段が操作された場合、最後に操作された第１の入力手段によって電源がオンされる被遠隔操作機器の電源をオフするリモコンコードを送信手段に出力し、送信手段に外部へ送信させる。【選択図】図９
2010219831.tif 000002
【特許請求の範囲】
【請求項１】
複数の被遠隔操作機器の電源を一斉にオンするための複数の第１の入力手段と、
複数の被遠隔操作機器の電源を一斉にオフするための第２の入力手段と、
該被遠隔操作機器を遠隔操作するための複数のリモコンコードを記憶する記憶手段と、
該リモコンコードを外部に送信する送信手段と、
該リモコンコードを該送信手段に出力し、該送信手段に外部へ送信させる制御手段とを備え；
該制御手段が、
複数の該第１の入力手段のうちいずれかが操作された場合、操作された該第１の入力手段に対応付けられている所定の複数の該被遠隔操作機器の電源をオンする該リモコンコードを該送信手段に出力し、該送信手段に外部へ出力させ、
該第２の入力手段が操作された場合、最後に操作された該第１の入力手段によって電源がオンされる該被遠隔操作機器の電源をオフするリモコンコードを該送信手段に出力し、該送信手段に外部へ送信させる、リモコン装置。
【請求項２】
前記記憶手段が、
前記第１の入力手段に対応付けられ、前記被遠隔操作機器を遠隔操作するための操作キーのキーコードを所定順に複数含むマクロ操作処理シーケンスをさらに記憶し；
前記制御手段が、
前記第１の入力手段が操作された場合、操作された該第１の入力手段に対応付けられる該マクロ操作処理シーケンスに含まれる該キーコードに対応する操作キーが操作されたときと同じ又は所定の遠隔操作処理を実行し、
前記第２の入力手段が操作された場合、前記最後に操作された第１の入力手段に対応付けられている該マクロ操作処理シーケンスに電源をオンするためのキーコードが含まれている被遠隔操作機器の電源をオフする、請求項１に記載のリモコン装置。
【請求項３】
前記最後に操作された第１の入力手段に対応付けられている前記マクロ操作処理シーケンスがその操作後に変更された場合、
前記制御手段は、前記第２の入力手段が操作されたとき、該最後に操作された第１の入力手段に対応付けられているマクロ操作処理シーケンスに拘わらず所定の該被遠隔操作機器のみ電源をオフする、請求項２に記載のリモコン装置。
【発明の詳細な説明】
【技術分野】
【０００１】
本発明はリモコン装置に関し、さらに詳しくは、１つのキー操作で１又は複数の被遠隔操作機器に対して複数の遠隔操作を行うマクロ操作可能なリモコン装置に関するものである。
【背景技術】
【０００２】
ＡＶレシーバ、ＤＶＤプレーヤー、ＣＤプレーヤー、ディスプレイ等から構成されるＡＶシステムにおいて、リモコン装置によってシステムを構成するこれらの被遠隔操作機器を遠隔操作することができる。このようなリモコン装置のうち、マクロ操作機能を有するものが存在する。マクロ操作機能とは、リモコン装置において、１回（場合によっては２回等、僅かな回数）のキー操作により、被遠隔操作機器に対して所定の遠隔操作を行うことができる機能であり、ユーザが自分の好みの遠隔操作処理をリモコン装置に登録できるようになっている。このマクロ操作機能によって、例えば、（ａ）複数の被遠隔操作機器を一斉に電源オンするオールオン操作、（ｂ）一斉に電源オフするオールオフ操作、（ｃ)特定のソース、例えばＤＶＤ（Ｄｉｇｉｔａｌ  Ｖｅｒｓａｔｉｌｅ  Ｄｉｓｃ）を視聴するために、ＡＶレシーバ、ＤＶＤプレーヤー及びディスプレイの電源をオンし、ＡＶレシーバの入力セレクタをＤＶＤプレーヤーに切替えるとともに、ＤＶＤプレーヤーに再生動作させる等のマクロ操作を行うことができる。
【０００３】
ところが、現在一般に普及している被遠隔操作機器では、単一の電源オン／オフリモコンコードを用い、このリモコンコードを受信するごとに電源のオン／オフを反転するトグル動作をするように設計されているものが多い。ここで、トグル動作とは、単一のリモコンコードを受信するごとに、複数の制御状態をローテーションで遷移する動作をいう。つまり、電源オンと電源オフの電源制御用リモコンコードが共通であり、被遠隔操作機器は、電源制御用リモコンコードをリモコン装置から受信するごとに、電源状態をオンとオフに交互に切替える。このような電源がトグル動作する被遠隔操作機器に対し、リモコン装置からオールオフ操作を行った場合、電源オフ状態の被遠隔操作機器は、逆に、電源がオンしてしまうという問題がある。
【０００４】
このような問題点を解決するためには、被遠隔操作機器が全ての制御状態に対応するリモコンコードを備えていれば解決する。すなわち、電源オンのリモコンコードと電源オフのリモコンコードを別のものにすれば、電源オン状態時に電源オンのリモコンコードを受信しても、被遠隔操作機器は、電源オン状態を継続するため、何ら不都合は生じない。しかし、被遠隔操作機器の制御状態にそれぞれ独立したリモコンコードを付与することは、コード長が限られるリモコンコードのリソースが不足していることもあって現実的ではなく、またリモコンコード数を増加させるとリモコン装置のボタン数や制御部の負荷が増加する等の問題がある。
【先行技術文献】
【特許文献】
【０００５】
【特許文献１】特開平５−０１４９７６号
【特許文献２】特開平１１−０７５２７０号
【特許文献３】特開２００２−１２４５４４号
【特許文献４】特開２００２−３４５０６０号
【発明の概要】
【発明が解決しようとする課題】
【０００６】
本発明は上記従来の課題を解決するためになされたものであり、その目的とするところは、最後に操作されたマクロ操作キーで電源がオンされる被遠隔操作機器の電源をオフするリモコン装置を提供することである。
【課題を解決するための手段】
【０００７】
本発明の好ましい実施形態によるリモコン装置は、複数の被遠隔操作機器の電源を一斉にオンするための複数の第１の入力手段と、複数の被遠隔操作機器の電源を一斉にオフするための第２の入力手段と、該被遠隔操作機器を遠隔操作するための複数のリモコンコードを記憶する記憶手段と、該リモコンコードを外部に送信する送信手段と、該リモコンコードを該送信手段に出力し、該送信手段に外部へ送信させる制御手段とを備え；該制御手段が、複数の該第１の入力手段のうちいずれかが操作された場合、操作された該第１の入力手段に対応付けられている所定の複数の該被遠隔操作機器の電源をオンする該リモコンコードを該送信手段に出力し、該送信手段に外部へ出力させ、該第２の入力手段が操作された場合、最後に操作された該第１の入力手段によって電源がオンされる該被遠隔操作機器の電源をオフするリモコンコードを該送信手段に出力し、該送信手段に外部へ送信させる。
【０００８】
複数の被遠隔操作機器の電源を一斉にオフするための第２の入力手段が操作された場合、制御手段は、最後に操作された第１の入力手段によって電源がオンされる被遠隔操作機器の電源をオフするリモコンコードを送信手段に出力し、送信手段に外部へ送信させるので、確実に被遠隔操作機器の電源を一斉にオフすることができる。また、被遠隔操作機器の電源を一斉にオフするために送信されるリモコンコードは、最後に操作された第１の入力手段で電源がオンされる被遠隔操作機器の電源をオフするリモコンコードであるので、必要最小限のコマンドを送信するだけで済み、第２の入力手段が操作されてから被遠隔操作機器の電源がオフされるまでの時間を短くすることができる。
【０００９】
好ましい実施形態においては、上記記憶手段が、上記第１の入力手段に対応付けられ、上記被遠隔操作機器を遠隔操作するための操作キーのキーコードを所定順に複数含むマクロ操作処理シーケンスをさらに記憶し；上記制御手段が、上記第１の入力手段が操作された場合、操作された該第１の入力手段に対応付けられる該マクロ操作処理シーケンスに含まれる該キーコードに対応する操作キーが操作されたときと同じ又は所定の遠隔操作処理を実行し、上記第２の入力手段が操作された場合、上記最後に操作された第１の入力手段に対応付けられている該マクロ操作処理シーケンスに電源をオンするためのキーコードが含まれている被遠隔操作機器の電源をオフする。
【００１０】
複数の被遠隔操作機器の電源を一斉にオフするための第２の入力手段が操作された場合、制御手段は、最後に操作された第１の入力手段に対応付けられたマクロ操作処理シーケンスに電源をオンするためのキーコードが含まれている被遠隔操作機器の電源をオフする。これによって、制御手段は、マクロ操作処理シーケンスを参照するだけで、最後に操作された第１の入力手段によって電源がオンされる被遠隔操作機器を判断して、その被遠隔操作機器の電源をオフすることができる。
【００１１】
好ましい実施形態においては、上記最後に操作された第１の入力手段に対応付けられている上記マクロ操作処理シーケンスがその操作後に変更された場合、上記制御手段は、上記第２の入力手段が操作されたとき、該最後に操作された第１の入力手段に対応付けられているマクロ操作処理シーケンスに拘わらず所定の該被遠隔操作機器のみ電源をオフする。
【００１２】
最後に操作された第１の入力手段に対応付けられているマクロ操作処理シーケンスがその操作後に変更され、その第１の入力手段によって電源をオンする被遠隔操作機器が変更された場合、制御手段は、最後に操作された第１の入力手段に対応付けられているマクロ操作処理シーケンスに拘わらず所定の被遠隔操作機器のみ電源をオフする。これによって、例えば、少なくともリモコン装置が主に遠隔操作する被遠隔操作機器だけ電源をオフすることができる。
【発明の効果】
【００１３】
本発明によれば、リモコン装置は、複数の被遠隔操作機器の電源を一斉にオフするオールオフキーが操作されたとき、複数の被遠隔操作機器の電源を一斉にオンするマクロ操作キーのうち最後に操作されたマクロ操作で電源がオンされる被遠隔操作機器だけを電源オフするので、確実に被遠隔操作機器の電源を一斉にオフすることができる。
【図面の簡単な説明】
【００１４】
【図１】本発明の好ましい実施形態によるＡＶシステムを示す概略構成図である。
【図２】本発明の好ましい実施形態によるリモコン装置を示すブロック図である。
【図３】マクロ操作処理シーケンスを示す図である。
【図４】各マクロ操作キーに対応付けられるマクロ操作処理シーケンスを示す図である。
【図５】操作履歴テーブルを示す図である。
【図６】オールオフ操作処理シーケンスを示す図である。
【図７】マクロ操作処理を示すフロー図である。
【図８】操作履歴記録処理を示すフロー図である。
【図９】オールオフ操作処理を示すフロー図である。
【図１０】最後に操作されたマクロ操作キーに応じたオールオフ操作処理シーケンスを示す図である。
【図１１】別の好ましい実施形態によるオールオフ操作処理を示すフロー図である。
【発明を実施するための形態】
【００１５】
以下、本発明の好ましい実施形態によるＡＶシステム１について、図を参照して説明するが、本発明はこれらの実施形態には限定されない。なお、図中同一又は相当部分には同一符号を付してその説明を援用する。
【００１６】
図１は、本発明の好ましい実施形態によるＡＶシステム１の構成を示すブロック図である。ＡＶシステム１は、リモコン装置１０、ＡＶレシーバ２０、ディスプレイ装置３０、ソース機器であるＤＶＤプレーヤー４０、ＣＤプレーヤー５０、ケーブルテレビ用のセットトップボックス６０及びスピーカー７０を備える。ＡＶレシーバ２０は、ＤＶＤプレーヤー４０、ＣＤプレーヤー５０、セットトップボックス６０及びスピーカー７０と接続され、ＤＶＤプレーヤー４０、ＣＤプレーヤー５０又はセットトップボックス６０から入力される音声信号をスピーカー７０へ出力する。また、ＡＶレシーバ２０は、ディスプレイ装置３０と接続され、ＤＶＤプレーヤー４０又はセットトップボックス６０から入力される映像信号をディスプレイ装置３０へ出力する。リモコン装置１０は、ＡＶレシーバ２０、ディスプレイ装置３０、ＤＶＤプレーヤー４０、ＣＤプレーヤー５０及びセットトップボックス６０を被遠隔操作機器とし、これらの被遠隔操作機器に対してリモコンコードを送信することで、被遠隔操作機器を遠隔操作することができる。本実施例におけるリモコン装置１０は、マクロ操作機能を有し、１つのキー操作で１又は複数の被遠隔操作機器に対して一連の遠隔操作（マクロ操作）を行うことができ、さらにはそのマクロ操作によって電源がオンされる被遠隔操作機器の電源を一斉にオフする遠隔操作（オールオフ操作）を行うことができる。以下、当該リモコン装置１０について図２〜図１０を参照して詳細に説明する。
【００１７】
図２は、リモコン装置１０の構成を示すブロック図である。リモコン装置１０は、操作入力部１１、メモリ１２、制御部１３、送信部１４及び表示部１５を備える。操作入力部１１は、リモコン装置１０の上面に設けられた操作キー等の操作子を備えている。メモリ１２には、被遠隔操作機器を操作するための複数のリモコンコードが記憶されている。制御部１３は、リモコン装置１０の動作全体を制御し、操作入力部１１により入力されたユーザの動作指示操作に基づき、リモコン装置１０の動作全体を制御したり、メモリ１２からリモコンコードを読み出して送信部１４に出力する。送信部１４は、制御部１３から入力されたリモコンコードを赤外線信号に変換して外部に送信する。表示部１５は、例えば液晶パネルからなり、操作内容等を表示する。なお、表示部１５をタッチパネルで形成することで、表示部１５と操作部１１とを統合することも可能である。本実施例では、リモコン装置１０は、ＡＶレシーバ２０を遠隔操作するためのＡＶレシーバモード、ディスプレイ装置３０を遠隔操作するためのディスプレイモード、ＤＶＤプレーヤー４０を遠隔操作するためのＤＶＤモード、ＣＤプレーヤー５０を遠隔操作するためのＣＤモード及びセットトップボックス６０を遠隔操作するためのセットトップボックスモードの５つの遠隔操作モードを有する。
【００１８】
操作入力部１１は、操作キーとして、被遠隔操作機器の電源をオンするための電源オンキー１１１、被遠隔操作機器の電源をオフするための電源オフキー１１２、遠隔操作モードを切り替えるためのモード切替キー１１３、１つのキー操作で１又は複数の被遠隔操作機器に対して複数の遠隔操作を行うマクロ操作のためのマクロ操作キー１１４とを有する。
【００１９】
本実施例において、操作入力部１１はモード切替キー１１３として、リモコン装置１０をＡＶレシーバモードに設定するためのＡＶレシーバモードキー１１３Ａと、ディスプレイモードに設定するためのディスプレイモードキー１１３Ｂと、ＤＶＤモードに設定するためのＤＶＤモードキー１１３Ｃと、ＣＤモードに設定するためのＣＤモードキー１１３Ｄと、セットトップボックスモードに設定するセットトップボックスモードキー１１３Ｅとを有する。これらのモード切替キー１１３で設定されるリモコン装置１０の遠隔操作モードに応じて、電源オンキー１１１及び電源オフキー１１２によって遠隔操作する被遠隔操作機器が決まる。つまり、遠隔操作モードに応じて、電源オンキー１１１及び電源オフキー１１２が操作されたときに、どの被遠隔操作機器のリモコンコードが送信されるかが決まる。例えば、リモコン装置１０がＡＶレシーバモードに設定されているとき、電源オンキー１１１が操作されると、ＡＶレシーバ２０の電源をオンするリモコンコードがリモコン装置１０から送信される。また、リモコン装置１０がディスプレイモードに設定されているときは、電源オンキー１１１が操作されると、ディスプレイ３０の電源をオンするリモコンコードがリモコン装置１０から送信される。
【００２０】
さらに操作入力部１１はマクロ操作キー１１４として、 “Ｍｙ  Ｍｏｖｉｅ”キー１１４Ａ、“Ｍｙ  ＴＶ”キー１１４Ｂ及び“Ｍｙ  Ｍｕｓｉｃ”キー１１４Ｃとを有する。
【００２１】
本実施例において“Ｍｙ  Ｍｏｖｉｅ”キー１１４Ａは、映画鑑賞の際にＡＶレシーバ２０、ディスプレイ装置３０及びＤＶＤプレーヤー４０をマクロ操作するためのボタンスイッチである。具体的には、“Ｍｙ  Ｍｏｖｉｅ”キー１１４Ａは、ＡＶレシーバ２０、ディスプレイ装置３０及びＤＶＤプレーヤー４０の電源をオンするマクロ操作のためのマクロ操作キーである。
【００２２】
“Ｍｙ  ＴＶ”キー１１４Ｂは、テレビ視聴の際にＡＶレシーバ２０、ディスプレイ装置３０及びセットトップボックス６０をマクロ操作するためのボタンスイッチである。具体的には、“Ｍｙ  ＴＶ”キー１１４Ｂは、ＡＶレシーバ２０、ディスプレイ装置３０及びセットトップボックス６０の電源をオンするマクロ操作のためのマクロ操作キーである。
【００２３】
“Ｍｙ  Ｍｕｓｉｃ”キー１１４Ｃは、音楽鑑賞の際にＡＶレシーバ２０及びＣＤプレーヤー５０をマクロ操作するためのボタンスイッチである。具体的には、“Ｍｙ  Ｍｕｓｉｃ”キー１１４Ｃは、ＡＶレシーバ２０及びＣＤプレーヤー５０の電源をオンするマクロ操作のためのマクロ操作キーである。
【００２４】
さらに操作入力部１１は“Ａｌｌ  Ｏｆｆ”キー１１５を有する。“Ａｌｌ  Ｏｆｆ”キー１１５は、“Ｍｙ  Ｍｏｖｉｅ”キー１１４Ａ、“Ｍｙ  ＴＶ”キー１１４Ｂ又は“Ｍｙ  Ｍｕｓｉｃ”キー１１４Ｃによるマクロ操作のうち、最後のマクロ操作によって電源がオンされる被遠隔操作機器の電源をオフするオールオフ操作のための操作キーである。つまり、最後のマクロ操作が“Ｍｙ  Ｍｏｖｉｅ”キー１１４Ａによるものである場合、“Ａｌｌ  Ｏｆｆ”キー１１５は、ＡＶレシーバ２０、ディスプレイ装置３０及びＤＶＤプレーヤー４０の電源を一斉にオフするための操作キーとなる。最後のマクロ操作が“Ｍｙ  ＴＶ”キー１１４Ｂによるものである場合、“Ａｌｌ  Ｏｆｆ”キー１１５は、ＡＶレシーバ２０、ディスプレイ装置３０及びセットトップボックス６０の電源を一斉にオフするための操作キーとなる。最後のマクロ操作が“Ｍｙ  Ｍｕｓｉｃ”キー１１４Ｃによるものである場合、“Ａｌｌ  Ｏｆｆ”キー１１５は、ＡＶレシーバ２０及びＣＤプレーヤー５０の電源を一斉にオフするための操作キーとなる。
【００２５】
メモリ１２は、“Ｍｙ  Ｍｏｖｉｅ”キー１１４Ａ、“Ｍｙ  ＴＶ”キー１１４Ｂ又は“Ｍｙ  Ｍｕｓｉｃ”キー１１４Ｃのそれぞれに対応付けられるマクロ操作処理シーケンスが記憶される。図３は、マクロ操作処理シーケンスを示す図である。本実施例におけるマクロ操作処理シーケンスは、所定順に複数のキーコードが登録されており、マクロ操作キー１１４が操作されたときに制御部１３が実行するマクロ操作処理を示している。つまり、マクロ操作キー１１４が操作されたとき、マクロ操作処理シーケンスに登録されているキーコード順に、そのキーコードに対応する操作キーが操作されたときと同じ遠隔操作処理が実行される。ここでいうキーコードとは、各操作キーに対応付けられ、その操作キーを特定するための識別コードである。マクロ操作処理シーケンスは、モード切替キー１１３のキーコードと電源オンキー１１１のキーコードとを組み合わせでどの被遠隔操作機器の電源をオンするかが設定される。具体的には、図３に示すように、第１キーコードとしてディスプレイモードキー１１３Ｂのキーコードと、第２キーコードとして電源オンキー１１１のキーコードとがマクロ操作処理シーケンスに登録され、これらのキーコードに基づいてディスプレイ装置３０の電源がオンされる。また、第３キーコードとしてソース機器のモード切替キー（ＤＶＤモードキー１１３Ｃ、ＣＤモードキー１１３Ｄ又はセットトップボックスモードキー１１３Ｅのいずれか）のキーコードと、第４キーコードとして電源オンキー１１１のキーコードとがマクロ操作処理シーケンスに登録され、これらのキーコードに基づいてソース機器（ＤＶＤプレーヤー４０、ＣＤプレーヤー５０又はセットトップボックス６０のいずれか）の電源がオンされる。さらに、第５キーコードとしてＡＶレシーバモードキー１１３Ａのキーコードと第６キーコードとして電源オンキー１１１のキーコードとがマクロ操作処理シーケンスに登録されており、これらのキーコードに基づいてＡＶレシーバ２０の電源がオンされる。
【００２６】
図４は“Ｍｙ  Ｍｏｖｉｅ”キー１１４Ａ、“Ｍｙ  ＴＶ”キー１１４Ｂ及び“Ｍｙ  Ｍｕｓｉｃ”キー１１４Ｃそれぞれに対応付けられたマクロ操作処理シーケンスを示す図である。“Ｍｙ  Ｍｏｖｉｅ”キー１１４Ａに対応付けられたマクロ操作処理シーケンスＡでは、ソース機器がＤＶＤプレーヤー４０であるので、第３キーコードとしてＤＶＤモードキー１１３Ｃのキーコードが登録されている（図４（ａ））。“Ｍｙ  ＴＶ”キー１１４Ｂに対応付けられたマクロ操作処理シーケンスＢでは、ソース機器がセットトップボックス６０であるので、第３キーコードとしてセットトップボックスモードキー１１３Ｅのキーコードが登録されている（図４（ｂ））。“Ｍｙ  Ｍｕｓｉｃ”キー１１４Ｃに対応付けられたマクロ操作処理シーケンスＣでは、ソース機器がＣＤプレーヤー５０であるので、第３キーコードとしてＣＤモードキー１１３Ｄのキーコードが登録されている（図４（ｃ））。なお、マクロ操作処理シーケンスＣでは、音楽視聴時にディスプレイ装置３０の電源をオンする必要がないので、第２キーコードとして電源オンキー１１１のキーコードが登録されない。
【００２７】
さらにメモリ１２は、操作履歴テーブルが記録される。図５は、操作履歴テーブルを示す図である。操作履歴テーブルは、“Ｍｙ  Ｍｏｖｉｅ”キー１１４Ａ、“Ｍｙ  ＴＶ”キー１１４Ｂ又は“Ｍｙ  Ｍｕｓｉｃ”キー１１４Ｃのうちどれが最後に操作されたかを示す操作履歴情報が記録される。例えば、図５に示すように“Ｍｙ  Ｍｏｖｉｅ”キー１１４Ａ、“Ｍｙ  ＴＶ”キー１１４Ｂ又は“Ｍｙ  Ｍｕｓｉｃ”キー１１４Ｃのうち、最後に操作されたのが“Ｍｙ  Ｍｏｖｉｅ”キー１１４Ａである場合、操作履歴テーブルは、“Ｍｙ  Ｍｏｖｉｅ”キー１１４Ａのキーコードが記録される。
【００２８】
さらにメモリ１２は、“Ａｌｌ  Ｏｆｆ”キー１１５に対応付けられたオールオフ操作処理シーケンスが記憶される。図６は、オールオフ操作処理シーケンスを示す図である。本実施例におけるオールオフ操作処理シーケンスは、所定順に複数のキーコードが登録されており、“Ａｌｌ  Ｏｆｆ”キー１１５が操作されたときに制御部１３が実行するオールオフ操作処理を示している。つまり、“Ａｌｌ  Ｏｆｆ”キー１１５が操作されたとき、オールオフ操作処理シーケンスに登録されているキーコード順に、そのキーコードに対応する操作キーが操作されたときと同じ遠隔操作処理が実行される。オールオフ操作処理シーケンスは、モード切替キー１１３のキーコードと電源オフキー１１２のキーコードとの組み合わせでどの被遠隔操作機器の電源をオフするかが設定される。具体的には、図６に示すように、第１キーコードとしてＡＶレシーバモードキー１１３Ａのキーコードと第２キーコードとして電源オフキー１１２のキーコードとがオールオフ操作処理シーケンスに登録され、これらのキーコードに基づいてＡＶレシーバ２０の電源がオフされる。また、第３キーコードとしてディスプレイモードキー１１３Ｂのキーコードと第４キーコードとして電源オフキー１１２のキーコードとがオールオフ操作処理シーケンスが登録され、これらのキーコードに基づいてディスプレイ装置３０の電源がオフされる。さらに、第５キーコードとしてソース機器のモード切替キー（ＤＶＤモードキー１１３Ｃ、ＣＤモードキー１１３Ｄ又はセットトップボックスモードキー１１３Ｅのいずれか）のキーコードと第６キーコードとして電源オフキー１１２のキーコードとがマクロ操作処理シーケンスに登録されており、これらのキーコードに基づいてソース機器の電源がオフされる。オールオフ操作処理シーケンスは、“Ａｌｌ  Ｏｆｆ”キー１１５が操作されたとき、“Ｍｙ  Ｍｏｖｉｅ”キー１１４Ａ、“Ｍｙ  ＴＶ”キー１１４Ｂ及び“Ｍｙ  Ｍｕｓｉｃ”キー１１４Ｃのいずれのマクロ操作キー１１４が最後に操作されたかによってオールオフ操作処理シーケンスに登録されるキーコードが異なる（詳細は後述）。
【００２９】
制御部１３は、“Ｍｙ  Ｍｏｖｉｅ”キー１１４Ａ、“Ｍｙ  ＴＶ”キー１１４Ｂ又は“Ｍｙ  Ｍｕｓｉｃ”キー１１４Ｃのいずれかが操作されたとき、その操作キーに対応付けられたマクロ操作処理シーケンスを実行する（マクロ操作処理）。さらに制御部１３は、“Ｍｙ  Ｍｏｖｉｅ”キー１１４Ａ、“Ｍｙ  ＴＶ”キー１１４Ｂ又は“Ｍｙ  Ｍｕｓｉｃ”キー１１４Ｃのうち最後に操作されたマクロ操作キーを操作履歴情報として操作履歴テーブルに記憶する操作履歴記録処理を実行する。そして制御部１３は、“Ａｌｌ  Ｏｆｆ”キー１１５が操作されたとき、操作履歴情報を参照し、最後に操作されたマクロ操作キー１１４によるマクロ操作で電源がオンされる被遠隔操作機器の電源をオフするようにオールオフ操作処理シーケンスを設定し、そのオールオフ操作処理シーケンスを実行する（オールオフ操作処理）。
【００３０】
＜マクロ操作処理＞
次に、“Ｍｙ  Ｍｏｖｉｅ”キー１１４Ａ、“Ｍｙ  ＴＶ”キー１１４Ｂ又は“Ｍｙ  Ｍｕｓｉｃ”キー１１４Ｃが操作されたときの制御部１３が実行するマクロ操作処理について説明する。
【００３１】
図７（ａ）は、“Ｍｙ  Ｍｏｖｉｅ”キー１１４Ａが操作されたとき、制御部１３が実行するマクロ操作処理を示すフロー図である。“Ｍｙ  Ｍｏｖｉｅ”キー１１４Ａが操作されたとき、制御部１３は“Ｍｙ  Ｍｏｖｉｅ”キー１１４Ａに対応付けられたマクロ操作処理シーケンスＡを参照し、マクロ操作処理を実行する。つまり、制御部１３は、ディスプレイモードキー１１３Ｂ、電源オンキー１１１、ＤＶＤモードキー１１３Ｃ、電源オンキー１１１、ＡＶレシーバモードキー１１３Ａ、電源オンキー１１１の順に操作されたときと同じ遠隔操作処理を実行する。具体的には、制御部１３は、遠隔操作モードをディスプレイモードに変更する処理を実行する（Ｓ１０１）。そして、制御部１３は電源オン処理を実行する（Ｓ１０２）。具体的には、ステップＳ１０１で遠隔操作モードがディスプレイモードに設定されているので、制御部１３は、ディスプレイ装置３０の電源をオンするためのリモコンコードをメモリ１２から読み出して送信部１４に出力し、送信部１４から送信させる。次に、制御部１３は、遠隔操作モードをＤＶＤモードに変更する処理を実行する（Ｓ１０３）。そして、制御部１３は電源オン処理を実行する（Ｓ１０４）。具体的には、ステップＳ１０３で遠隔操作モードがＤＶＤモードに設定されているので、制御部１３は、ＤＶＤプレーヤー４０の電源をオンするためのリモコンコードをメモリ１２から読み出して送信部１４に出力し、送信部１４から送信させる。次に、制御部１３は、遠隔操作モードをＡＶレシーバモードに変更する処理を実行する（Ｓ１０５）。そして、制御部１３は電源オン処理を実行する（Ｓ１０６）。具体的には、ステップＳ１０５で遠隔操作モードがＡＶレシーバモードに設定されているので、制御部１３は、ＡＶレシーバ２０の電源をオンするためのリモコンコードをメモリ１２から読み出して送信部１４に出力し、送信部１４から送信させる。
【００３２】
図７（ｂ）は、“Ｍｙ  ＴＶ”キー１１４Ｂが操作されたとき、制御部１３が実行するマクロ操作処理を示すフロー図である。“Ｍｙ  ＴＶ”キー１１４Ｂが操作されたとき、制御部１３は、“Ｍｙ  ＴＶ”キー１１４Ｂに対応付けられたマクロ操作処理シーケンスＢを参照し、マクロ操作処理を実行する。つまり、制御部１３は、ディスプレイモードキー１１３Ｂ、電源オンキー１１１、セットトップボックスモードキー１１３Ｅ、電源オンキー１１１、ＡＶレシーバモードキー１１３Ａ、電源オンキー１１１の順に操作されたときと同じ遠隔操作処理を実行する。具体的には、制御部１３は、遠隔操作モードをディスプレイモードに変更する処理を実行する（Ｓ２０１）。そして、制御部１３は電源オン処理を実行する（Ｓ２０２）。具体的には、ステップＳ２０１で遠隔操作モードがディスプレイモードに設定されているので、制御部１３は、ディスプレイ装置３０の電源をオンするためのリモコンコードをメモリ１２から読み出して送信部１４に出力し、送信部１４から送信させる。次に、制御部１３は、遠隔操作モードをセットトップボックスモードに変更する処理を実行する（Ｓ２０３）。そして、制御部１３は電源オン処理を実行する（Ｓ２０４）。具体的には、ステップＳ２０３で遠隔操作モードがセットトップボックスモードに設定されているので、制御部１３は、セットトップボックス６０の電源をオンするためのリモコンコードをメモリ１２から読み出して送信部１４に出力し、送信部１４から送信させる。次に、制御部１３は、遠隔操作モードをＡＶレシーバモードに変更する処理を実行する（Ｓ２０５）。そして、制御部１３は電源オン処理を実行する（Ｓ２０６）。具体的には、ステップＳ２０５で遠隔操作モードがＡＶレシーバモードに設定されているので、制御部１３は、ＡＶレシーバ２０の電源をオンするためのリモコンコードをメモリ１２から読み出して送信部１４に出力し、送信部１４から送信させる。
【００３３】
図７（ｃ）は、“Ｍｙ  Ｍｕｓｉｃ”キー１１４Ｃが操作されたとき、制御部１３が実行するマクロ操作処理を示すフロー図である。“Ｍｙ  Ｍｕｓｉｃ”キー１１４Ｃが操作されたとき、“Ｍｙ  Ｍｕｓｉｃ”キー１１４Ｃに対応付けられたマクロ操作処理シーケンスＣを参照し、マクロ操作処理を実行する。つまり、制御部１３は、ディスプレイモードキー１１３Ｂ、ＣＤモードキー１１３Ｄ、電源オンキー１１１、ＡＶレシーバモードキー１１３Ａ、電源オンキー１１１の順に操作されたときと同じ遠隔操作処理を実行する。具体的には、制御部１３は、遠隔操作モードをディスプレイモードに変更する処理を実行する（Ｓ３０１）。次に、制御部１３は、遠隔操作モードをＣＤモードに変更する処理を実行する（Ｓ３０３）。そして、制御部１３は電源オン処理を実行する（Ｓ３０４）。具体的には、ステップＳ３０３で遠隔操作モードがＣＤモードに設定されているので、制御部１３は、ＣＤプレーヤー５０の電源をオンするためのリモコンコードをメモリ１２から読み出して送信部１４に出力し、送信部１４から送信させる。次に、制御部１３は、遠隔操作モードをＡＶレシーバモードに変更する処理を実行する（Ｓ３０５）。そして、制御部１３は電源オン処理を実行する（Ｓ３０６）。具体的には、ステップＳ３０５で遠隔操作モードがＡＶレシーバモードに設定されているので、制御部１３は、ＡＶレシーバ２０の電源をオンするためのリモコンコードをメモリ１２から読み出して送信部１４に出力し、送信部１４から送信させる。
【００３４】
＜操作履歴記録処理＞
次に、操作履歴記録処理について説明する。図８は、制御部１３の操作履歴記録処理を示すフロー図である。制御部１３は、“Ｍｙ  Ｍｏｖｉｅ”キー１１４Ａ、“Ｍｙ  ＴＶ”キー１１４Ｂ又は“Ｍｙ  Ｍｕｓｉｃ”キー１１４Ｃのいずれかが操作されたとき、その操作キーを最後に操作されたマクロ操作キー１１４とし、そのキーコードを操作履歴テーブルに記録する（Ｓ４０１）。制御部１３は、“Ｍｙ  Ｍｏｖｉｅ”キー１１４Ａ、“Ｍｙ  ＴＶ”キー１１４Ｂ又は“Ｍｙ  Ｍｕｓｉｃ”キー１１４Ｃのいずれかが操作される毎にこの操作履歴記録処理を実行し、操作履歴テーブルを更新する。
【００３５】
＜オールオフ操作処理＞
次に、“Ａｌｌ  Ｏｆｆ”キー１１５が操作されたときの制御部１３が実行するオールオフ操作処理について具体的に説明する。
【００３６】
図９は、“Ａｌｌ  Ｏｆｆ”キー１１５が操作されたときの、制御部１３のオールオフ操作処理を示すフロー図である。制御部１３は、“Ａｌｌ  Ｏｆｆ”キー１１５が操作されたとき、最後に操作されたマクロ操作キー１１４が“Ｍｙ  Ｍｏｖｉｅ”キー１１４Ａ、“Ｍｙ  ＴＶ”キー１１４Ｂ又は“Ｍｙ  Ｍｕｓｉｃ”キー１１４Ｃのいずれであるかを判断する（Ｓ５０１）。具体的には、操作履歴テーブルに記録されているキーコードから、どのマクロ操作キー１１４が最後に操作されたかを判断する。
【００３７】
ステップＳ５０１で、“Ｍｙ  Ｍｏｖｉｅ”キー１１４Ａが最後に操作されたマクロ操作キー１１４であると判断した場合、制御部１３は、“Ｍｙ  Ｍｏｖｉｅ”キー１１４Ａに対応付けられたマクロ操作処理シーケンスＡを参照し、“Ｍｙ  Ｍｏｖｉｅ”キー１１４Ａによるマクロ操作によって電源がオンされる被遠隔操作機器の電源をオフするようにオールオフ操作処理シーケンスを設定する（Ｓ５０２）。図１０（ａ）は、ステップ５０２で設定されるオールオフ操作処理シーケンスである。制御部１３は、“Ｍｙ  Ｍｏｖｉｅ”キー１１４Ａに対応付けられたマクロ操作処理シーケンスＡの第５キーコード及び第６キーコードに、ＡＶレシーバ２０の電源をオンするためのＡＶレシーバモードキー１１３Ａのキーコードと電源オンキー１１１のキーコードとが登録されているので、“Ｍｙ  Ｍｏｖｉｅ”キー１１４Ａによるマクロ操作によってＡＶレシーバ２０が電源オンされると判断し、オールオフ操作処理シーケンスに第１キーコードとしてＡＶレシーバモードキー１１３Ａのキーコードと第２キーコードとして電源オフキー１１２のキーコードとを登録する。また、制御部１３は、マクロ操作処理シーケンスＡの第１キーコード及び第２キーコードに、ディスプレイ装置３０の電源をオンするためのディスプレイモードキー１１３Ｂのキーコードと電源オンキー１１１のキーコードとが登録されているので、“Ｍｙ  Ｍｏｖｉｅ”キー１１４Ａによるマクロ操作によってディスプレイ装置３０が電源オンされると判断し、オールオフ操作処理シーケンスに第３キーコードとしてディスプレイモードキー１１３Ｂのキーコードと第４キーコードとして電源オフキー１１２のキーコードとを登録する。さらに、制御部１３は、マクロ操作処理シーケンスＡの第３キーコード及び第４キーコードに、ＤＶＤプレーヤー４０の電源をオンするためのＤＶＤモードキー１１３Ｃのキーコードと電源オンキー１１１のキーコードとが登録されているので、“Ｍｙ  Ｍｏｖｉｅ”キー１１４Ａによるマクロ操作によってＤＶＤプレーヤー４０が電源オンされると判断し、オールオフ操作処理シーケンスに第５キーコードとしてＤＶＤモードキー１１３Ｃのキーコードと第６キーコードとして電源オフキー１１２のキーコードとを登録する。
【００３８】
次に、制御部１３は、オールオフ操作処理シーケンスを実行する（Ｓ５０３）。具体的には、制御部１３は、オールオフ操作処理シーケンスを参照し、ＡＶレシーバモードキー１１３Ａ、電源オフキー１１２、ディスプレイモードキー１１３Ｂ、電源オフキー１１２、ＤＶＤモードキー１１３Ｃ、電源オフキー１１２の順に操作されたときと同じ遠隔操作処理を実行する。その結果、ＡＶレシーバ２０、ディスプレイ装置３０及びＤＶＤプレーヤー４０の電源をオフするリモコンコードがリモコン装置１０から送信されるので、最後に操作された“Ｍｙ  Ｍｏｖｉｅ”キー１１４Ａでのマクロ操作によって電源がオンされるＡＶレシーバ２０、ディスプレイ装置３０及びＤＶＤプレーヤー４０の電源がオフされる。
【００３９】
ステップＳ５０１で、“Ｍｙ  ＴＶ”キー１１４Ｂが最後に操作されたマクロ操作キー１１４であると判断した場合、制御部１３は、“Ｍｙ  ＴＶ”キー１１４Ｂに対応付けられたマクロ操作処理シーケンスＢを参照し、“Ｍｙ  ＴＶ”キー１１４Ｂによるマクロ操作によって電源がオンされる被遠隔操作機器の電源をオフするようにオールオフ操作処理シーケンスを設定する（Ｓ５０４）。図１０（ｂ）は、ステップＳ５０４で設定されるオールオフ操作処理シーケンスである。制御部１３は、“Ｍｙ  ＴＶ”キー１１４Ｂに対応付けられたマクロ操作処理シーケンスＢの第５キーコード及び第６キーコードに、ＡＶレシーバ２０の電源をオンするためのＡＶレシーバモードキー１１３Ａのキーコードと電源オンキー１１１のキーコードとが登録されているので、“Ｍｙ  ＴＶ”キー１１４Ｂによるマクロ操作によってＡＶレシーバ２０が電源オンされると判断し、オールオフ操作処理シーケンスに第１キーコードとしてＡＶレシーバモードキー１１３Ａのキーコードと第２キーコードとして電源オフキー１１２のキーコードとを登録する。また、制御部１３は、マクロ操作処理シーケンスＢの第１キーコード及び第２キーコードに、ディスプレイ装置３０の電源をオンするためのディスプレイモードキー１１３Ｂのキーコードと電源オンキー１１１のキーコードとが登録されているので、“Ｍｙ  ＴＶ”キー１１４Ｂによるマクロ操作によってディスプレイ装置３０が電源オンされると判断し、オールオフ操作処理シーケンスに第３キーコードとしてディスプレイモードキー１１３Ｂのキーコードと第４キーコードとして電源オフキー１１２のキーコードとを登録する。さらに、制御部１３は、マクロ操作処理シーケンスＢの第３キーコード及び第４キーコードに、セットトップボックス６０の電源をオンするためのセットトップボックスモードキー１１３Ｅのキーコードと電源オンキー１１１のキーコードとが登録されているので、“Ｍｙ  ＴＶ”キー１１４Ｂによるマクロ操作によってセットトップボックス６０が電源オンされると判断し、オールオフ操作処理シーケンスに第５キーコードとしてセットトップボックスモードキー１１３Ｃのキーコードと第６キーコードとして電源オフキー１１２のキーコードとを登録する。
【００４０】
次に、制御部１３は、オールオフ操作処理シーケンスを実行する（Ｓ５０５）。具体的には、制御部１３は、オールオフ操作処理シーケンスを参照し、ＡＶレシーバモードキー１１３Ａ、電源オフキー１１２、ディスプレイモードキー１１３Ｂ、電源オフキー１１２、セットトップボックスモードキー１１３Ｅ、電源オフキー１１２の順に操作されたときと同じ遠隔操作処理を実行する。その結果、ＡＶレシーバ２０、ディスプレイ装置３０及びセットトップボックス６０の電源をオフするリモコンコードがリモコン装置１０から送信されるので、最後に操作された“Ｍｙ  ＴＶ”キー１１４Ｂでのマクロ操作によって電源がオンされるＡＶレシーバ２０、ディスプレイ装置３０及びセットトップボックス６０の電源がオフされる。
【００４１】
ステップＳ５０１で、“Ｍｙ  Ｍｕｓｉｃ”キー１１４Ｃが最後に操作されたマクロ操作キー１１４であると判断した場合、制御部１３は、“Ｍｙ  Ｍｕｓｉｃ”キー１１４Ｃに対応付けられたマクロ操作処理シーケンスＣを参照し、“Ｍｙ  Ｍｕｓｉｃ”キー１１４Ｃによるマクロ操作によって電源がオンされる被遠隔操作機器の電源をオフするようにオールオフ操作処理シーケンスを設定する（Ｓ５０６）。図１０（ｃ）は、ステップ５０６で設定されるオールオフ操作処理シーケンスである。制御部１３は、“Ｍｙ  Ｍｕｓｉｃ”キー１１４Ｃに対応付けられたマクロ操作処理シーケンスＣの第５キーコード及び第６キーコードに、ＡＶレシーバ２０の電源をオンするためのＡＶレシーバモードキー１１３Ａのキーコードと電源オンキー１１１のキーコードとが登録されているので、“Ｍｙ  ＴＶ”キー１１４Ｂによるマクロ操作によってＡＶレシーバ２０が電源オンされると判断し、オールオフ操作処理シーケンスに第１キーコードとしてＡＶレシーバモードキー１１３Ａのキーコードと第２キーコードとして電源オフキー１１２のキーコードとを登録する。また、制御部１３は、マクロ操作処理シーケンスＣの第２キーコードに、ディスプレイ装置３０の電源をオンするための電源オンキー１１１のキーコードが登録されていないので、“Ｍｙ  Ｍｕｓｉｃ”キー１１４Ｃによるマクロ操作ではディスプレイ装置３０が電源オンされないと判断し、オールオフ操作処理シーケンスに第４キーコードとして電源オフキー１１２のキーコードは登録しない。さらに、制御部１３は、マクロ操作処理シーケンスＣの第３キーコード及び第４キーコードに、ＣＤプレーヤー５０の電源をオンするためのＣＤモードキー１１３Ｄのキーコードと電源オンキー１１１のキーコードとが登録されているので、“Ｍｙ  Ｍｕｓｉｃ”キー１１４Ｃによるマクロ操作によってＣＤプレーヤー５０が電源オンされると判断し、オールオフ操作処理シーケンスに第５キーコードとしてＣＤモードキー１１３Ｃのキーコードと第６キーコードとして電源オフキー１１２のキーコードとを登録する。
【００４２】
次に、制御部１３は、オールオフ操作処理シーケンスを実行する（Ｓ５０７）。具体的には、制御部１３は、オールオフ操作処理シーケンスを参照し、ＡＶレシーバモードキー１１３Ａ、電源オフキー１１２、ディスプレイモードキー１１３Ｂ、ＣＤモードキー１１３Ｄ、電源オフキー１１２の順に操作されたときと同じ遠隔操作処理を実行する。その結果、ＡＶレシーバ２０及びＣＤプレーヤー５０の電源をオフするリモコンコードがリモコン装置１０から送信されるので、最後に操作された“Ｍｙ  ＴＶ”キー１１４Ｂでのマクロ操作によって電源がオンされるＡＶレシーバ２０及びＣＤプレーヤー５０の電源がオフされる。
【００４３】
以上のように、“Ａｌｌ  Ｏｆｆ”キー１１５が操作されたとき、“Ｍｙ  Ｍｏｖｉｅ”キー１１４Ａ、“Ｍｙ  ＴＶ”キー１１４Ｂ又は“Ｍｙ  Ｍｕｓｉｃ”キー１１４Ｃのうち最後に操作されたマクロ操作キー１１４によるマクロ操作で電源がオンされる被遠隔操作機器だけが電源オフされるので、確実に被遠隔操作機器の電源を一斉にオフすることができる。また、被遠隔操作機器の電源をオフするために送信されるリモコンコードは、最後に操作されたマクロ操作キー１１４でのマクロ操作によって電源がオンされた被遠隔操作機器を電源オフするリモコンコードだけであるので、必要最小限のリモコンコードを送信するだけで済み、“Ａｌｌ  Ｏｆｆ”キー１１５が操作されてから被遠隔操作機器の電源がオフされるまでの時間が短くすることができる。さらに、“Ａｌｌ  Ｏｆｆ”キー１１５が操作された場合、最後に操作されたマクロ操作キー１１４に対応付けられたマクロ操作処理シーケンスを参照するだけで、そのマクロ操作キー１１４で電源がオンされる被遠隔操作機器を判断することができる。
【００４４】
次に、本発明の別の好ましい実施形態について説明する。本発明の別の好ましい実施形態によるリモコン装置１０は、“Ｍｙ  Ｍｏｖｉｅ”キー１１４Ａ、“Ｍｙ  ＴＶ”キー１１４Ｂ又は“Ｍｙ  Ｍｕｓｉｃ”キー１１４Ｃでのマクロ操作を、ユーザが所望するマクロ操作に変更することができる。例えば“Ｍｙ  Ｍｕｓｉｃ”キー１１４Ｃを、ＣＤプレーヤー５０を用いて音楽鑑賞するためではなく、他の外部機器（図示せず）を用いて音楽鑑賞するため、ＡＶレシーバ２０及び外部機器の電源をオンするためのマクロ操作キーに変更することができる。この場合、“Ｍｙ  Ｍｕｓｉｃ”キー１１４Ｃに対応付けられるマクロ操作処理シーケンスＣの第５キーコードは、ＣＤモードキー１１３Ｄのキーコードから外部機器を遠隔操作するためのモード切替キー（図示せず）のキーコードに変更される。このような場合、変更前の“Ｍｙ  Ｍｕｓｉｃ”キー１１４Ｃによるマクロ操作でＡＶレシーバ２０及びＣＤプレーヤー５０の電源がオンされているにも拘らず、制御部１３は変更後のマクロ操作処理シーケンスＣからＡＶレシーバ２０及び外部機器の電源がオンされているものと判断してしまうことがある。そこで、せめてリモコン装置１０が主に遠隔操作する被遠隔操作機器だけでも電源をオフするために、制御部１３は、“Ａｌｌ  Ｏｆｆ”キー１１５が操作されたとき、最後に操作されたマクロ操作キー１１４に対応付けられているマクロ操作処理シーケンスがその操作後に変更されている場合、最後に操作されたマクロ操作キー１１４に対応付けられているマクロ操作処理シーケンスに拘わらず、リモコン装置１０が主に遠隔操作する被遠隔操作機器の電源のみをオフする。
【００４５】
図１１は、本発明の別の好ましい実施形態によるオールオフ操作処理を示すフロー図である。図９のオールオフ操作処理と同一の処理部分は説明を省略する。制御部１３は、“Ａｌｌ  Ｏｆｆ”キー１１５が操作されたとき、最後に操作されたマクロ操作キー１１４に対応付けられているマクロ操作処理シーケンスがその操作後に変更されているか否かを判断する（Ｓ５０８）。変更されていると判断した場合（Ｓ５０８：ＹＥＳ）、制御部１３は、ＡＶレシーバ２０の電源のみをオフするためのキーコードをオールオフ操作処理シーケンスに設定する（Ｓ５０９）。ＡＶレシーバ２０の電源のみをオフするキーコードを設定するのは、本実施例ではＡＶレシーバ２０をリモコン装置１０が主に遠隔操作する被遠隔操作機器としているからである。そして、制御部１３は、オールオフ操作処理シーケンスを実行する（Ｓ５１０）。これにより、最後に操作されたマクロ操作キー１１４に対応付けられているマクロ操作処理がその操作後に変更されている場合には、主に遠隔操作するＡＶレシーバ２０を電源オフすることができる。
【００４６】
また、上述のように、“Ａｌｌ  Ｏｆｆ”キー１１５が操作されたとき、ＡＶレシーバ２０の電源のみをオフする場合があるので、オールオフ操作処理シーケンスにおいて、ＡＶレシーバ２０の電源をオフするためのキーコードが第１キーコード及び第２キーコードとして設定されるよう規定されている。このようにすることで、制御部１３がオールオフ操作処理シーケンスを実行する際、ＡＶレシーバ２０の電源をオフする遠隔操作処理がすぐさま実行されるので、“Ａｌｌ  Ｏｆｆ”キー１１５が操作されてからＡＶレシーバ２０の電源がオフされるまでの時間を短くすることができる。
【００４７】
以上、本発明に係るリモコン装置の好ましい実施形態の例について説明したが、上述した実施の形態は本発明を実施するための例示に過ぎない。例えば、本実施例においてマクロ操作キー１１４は被遠隔操作機器の電源をオンするマクロ操作のためとしたが、ＡＶレシーバ２０の入力セレクタをソース機器に切り替え、ソース機器に再生動作を開始させる等の操作を含むマクロ操作としても良く、その場合は、その操作のための操作キーのキーコードがマクロ操作処理シーケンスに追加される。
【００４８】
なお、“Ａｌｌ  Ｏｆｆ”キー１１５が操作されたときに送信する被遠隔操作機器の電源をオフするリモコンコードは、被遠隔操作機器の電源オンオフ仕様に応じて送信するリモコンコードが異なる。つまり、電源オン用リモコンコードと電源オフ用リモコンコードとを用い、電源オン用リモコンコードを受信すれば電源をオンし、電源オフ用リモコンコードを受信すれば電源をオフするよう設計されている被遠隔操作機器に対して、制御部１３は電源オフ用リモコンコードをメモリ１２から読み出して送信部１４に出力し、送信部１４から送信させる。一方、単一の電源オン／オフリモコンコードを用い、このリモコンコードを受信するごとに電源のオン／オフを反転するトグル動作をするように設計されている被遠隔操作機器では、電源オフ用リモコンコードが用意されていないので、制御部１３は電源オフ用リモコンコードとして電源オン／オフリモコンコードをメモリ１２から読み出して送信部１４へ出力し、送信部１４から送信する。このようにすることで、最後に操作されたマクロ操作キー１１４でのマクロ操作によって電源がオンされた被遠隔操作機器に対してのみ、その被遠隔操作機器の電源オンオフ仕様に従ったリモコンコードで電源をオフするので、ユーザが所望しない被遠隔操作機器の電源がオンしてしまうことや、ユーザが所望する被遠隔操作機器の電源をオンしてしまう問題を防ぐことができる。
【００４９】
また、本実施例において、マクロ操作処理シーケンス又はオールオフ操作処理シーケンスに基づく制御部１３のマクロ操作処理は、マクロ操作処理シーケンス又はオールオフ操作処理シーケンスに登録されているキーコードに対応する操作キーが操作されたときと同じ遠隔操作処理としたが、その限りではない。例えば、１つの操作キーに対して複数の処理が実行されるよう設定されている場合、マクロ操作処理シーケンス又はオールオフ操作処理シーケンスに基づく制御部１３のマクロ操作処理では、登録されているキーコードに対応する操作キーに設定されている処理のうち、いくつかを省略した所定の遠隔操作処理を実行するようにしても良い。
【産業上の利用可能性】
【００５０】
本発明は、１つのキー操作で１又は複数の被遠隔操作機器に対して複数の遠隔操作を行うマクロ操作可能なリモコン装置に好適に採用され得る。
【符号の説明】
【００５１】
１０  リモコン装置
１１  操作入力部
１１１  電源オンキー
１１２  電源オフキー
１１３Ａ  ＡＶレシーバモードキー
１１３Ｂ  ディスプレイモードキー
１１３Ｃ  ＤＶＤモードキー
１１３Ｄ  ＣＤモードキー
１１３Ｅ  セットトップボックスモードキー
１１４Ａ  “Ｍｙ  Ｍｏｖｉｅ”キー
１１４Ｂ  “Ｍｙ  ＴＶ”キー
１１４Ｃ  “Ｍｙ  Ｍｕｓｉｃ”キー
１１５  “Ａｌｌ  Ｏｆｆ”キー
１２  メモリ
１３  制御部
１４  送信部
１５  表示部
２０  ＡＶレシーバ
３０  ディスプレイ装置
４０  ＤＶＤプレーヤー
５０  ＣＤプレーヤー
６０  セットトップボックス
７０  スピーカー
【図１】
2010219831.tif 000003
【図２】
2010219831.tif 000004
【図３】
2010219831.tif 000005
【図４】
2010219831.tif 000006
【図５】
2010219831.tif 000007
【図６】
2010219831.tif 000008
【図７】
2010219831.tif 000009
【図８】
2010219831.tif 000010
【図９】
2010219831.tif 000011
【図１０】
2010219831.tif 000012
【図１１】
2010219831.tif 000013